(57)【要約】【課題】落下物、側面、前面衝撃から親指から小指までの、つま先、指弱部を保護する形状をした安全靴用先芯及びそれを用いた安全靴の提供。【解決手段】落下物、側面、前面衝撃から親指から小指までを保護する事を目的とした従来安全靴先心形状に加え、薬指から小指上部及び側面部を覆う形状の特徴持つことにより、親指より小指までの指を覆う鋼板・硬質樹脂・アルミ・軽量鋼材・特殊カーボン等の芯材を使用した形状を特徴とした、安全靴用先芯及びそれを装着した安全靴。【選択図】図５
2012228302.tif 000002
【特許請求の範囲】
【請求項１】
落下物、側面、前面衝撃から親指から小指までを保護するため、親指から中指までの爪先部、薬指、小指を覆う形状とし、鋼板・硬質樹脂・アルミ・軽量鋼材・特殊カーボン等の芯材２を特徴とする安全靴用先芯。
【請求項２】
請求項１に記載の安全靴用先芯をつま先に装着したことを特徴とする安全靴。
【発明の詳細な説明】
【技術分野】
【０００１】
本発明は建築工事、運送業、安全靴を必要とする作業現場で、作業員が足の親指から小指まで全てを安全に保護するための安全靴用先芯及びそれを用いた安全靴に関するものである。
【背景技術】
【０００２】
従来、安全靴における先芯は、着用者のつま先を重量物落下から保護する為に覆う鋼板・硬質樹脂等の先芯を埋設した安全靴が一般的に用いられている。
【０００３】
しかし、先芯形状が親指から人差し指までの落下物及び前面衝撃からの保護はすぐれているが、薬指、小指の上部、側面部の保護には弱いと言う問題点がある。
【先行技術文献】
【特許文献】
【０００４】
【特許文献１】特開２００７−０８９７２３
【発明の概要】
【発明が解決しようとする課題】
【０００５】
そこで本発明は、落下物、側面、前面衝撃から親指から小指まで全てを保護するために従来の先芯形状に加え、薬指、小指を覆う形状を特徴とする安全靴先芯、及びそれを用いた安全靴の提供を目的とするものである。
【課題を解決するための手段】
【０００６】
前記目的を達成するため、本発明に係る安全靴用先芯は従来先芯１の形状に対し、２の形状を特徴とするものである。
【０００７】
また、本発明に係る安全靴先芯２は親指側面より、中指を覆い、薬指、小指上部、側面を覆う様変速カーブを描き、安全靴底３に至るものである。
【０００８】
前記形状理由として、足指全体を覆うことなく指先、弱部を覆う形状にする事により、安全靴の軽量化、作業員の安全靴使用時の指先の圧迫感、使用感の軽減を図るためである。
【発明の効果】
【０００９】
以上説明したように、本発明の安全靴先芯は親指から小指までをしっかり保護する形状を特徴としており、無駄に指全体を覆うことなく、安全靴の軽量化、作業者にかかるふたんをやわらげることができる。
【図面の簡単な説明】
【００１０】
【図１】従来安全靴先芯の形状及び足指位置の上面視図である。
【図２】従来安全靴先芯の形状及び足指位置の側面視図である。
【図３】本発明の安全靴先芯の形状及び足指位置上面視図である。
【図４】本発明の安全靴先芯の形状及び足小指側位置側面視図である。
【図５】本発明の安全靴先芯の上斜面視図である。
【図６】図５の安全靴先芯の底斜面視図である。
【発明を実施するための形態】
【００１１】
本発明の実施形態を説明する。本発明に係る安全靴用先芯は、鋼板・硬質樹脂・アルミ・軽量鋼材・特殊カーボンからなるものである。無駄に足指全ての根本全体を覆うことなく、親指から中指のつま先、弱部である薬指、小指全体を覆う形状により、安全靴の軽量化、作業者にかかる指の圧迫感、ふたんをやわらげることができる。
【実施例１】
【００１２】
図５及び図６は以上説明内容により制作された先芯２を示している。
従来先芯１に比べ、薬指、小指を覆うよう張り出した形状となっている。
先芯本体２は、安全靴の甲被（不図示）内面に当接するアーチ部５と、このアーチ部５の下辺から内向きに延在し、安全靴の中底（不図示）の下側に吊り込まれる下辺折曲部４とが一体に形成されてなる。
先芯本体２の板厚は１．２ｍｍである。
【００１３】
図３は以上の様に構成された安全靴用先芯２を安全靴爪先部に内装した上面視図である。親指より中指爪先部を保護し、薬指、小指の全体を保護している形状の特徴を示した。
また小指中足骨根本付近までの本発明先芯形状の張り出しにおいては、作業員が安全靴装着時、本発明先芯の張り出しの影響無く、指先の曲げ伸ばしに支障のない長さになっている。
【００１４】
図４は安全靴用先芯２を安全靴爪先部に内装した小指側上面視図である。小指中足骨根本付近までを保護している形状の特徴を示した。
【産業上の利用可能性】
【００１５】
以上説明したように、本発明によれば足の指弱部全てを必要最低限の形状により、保護性と軽量化を図る安全靴用先芯及び、それを用いた安全靴を提供することができる。
【符号の説明】
【００１６】
１  従来の安全靴先芯の本体形状
２  本発明の安全靴先芯の本体形状
３  安全靴底
４  下辺折り曲げ部
５  アーチ部
【図１】
2012228302.tif 000003
【図２】
2012228302.tif 000004
【図３】
2012228302.tif 000005
【図４】
2012228302.tif 000006
【図５】
2012228302.tif 000007
【図６】
2012228302.tif 000008
【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
鋼板・硬質樹脂・アルミ・軽量鋼材・特殊カーボン等かなる先芯において、小指側に張り出した形状を特徴とする安全靴用先芯。
【請求項２】
請求項１に記載の安全靴用先芯をつま先に装着したことを特徴とする安全靴。
【手続補正２】
【補正対象書類名】明細書
【補正対象項目名】０００９
【補正方法】変更
【補正の内容】
【０００９】
以上説明したように、本発明の安全靴先芯は親指から小指までを保護する特殊な形状を特徴とすることにより、屈曲性を保ち、円滑な歩行及び作業を可能とし、また、安全靴の軽量化、作業者にかかるふたんをやわらげることができる安全靴先芯及びこれを用いた安全靴を提供することができる。
【手続補正３】
【補正対象書類名】明細書
【補正対象項目名】００１０
【補正方法】変更
【補正の内容】
【００１０】
【図１】従来安全靴先芯の形状及び足指位置関係を表す上面視図である。
【図２】従来安全靴先芯の形状及び足指位置関係を表す側面視図である。
【図３】本発明の安全靴先芯の形状及び足指位置関係を表す上面視図である。
【図４】本発明の安全靴先芯の形状及び足小指側位置関係を表す側面視図である。
【図５】本発明の安全靴先芯の上斜面視図である。
【図６】図５の安全靴先芯の底斜面視図である。
【手続補正４】
【補正対象書類名】明細書
【補正対象項目名】００１１
【補正方法】変更
【補正の内容】
【００１１】
本発明の実施形態を添付図面に基づいて説明する。図１、図２は、従来安全靴先芯と足指の位置関係を示す図である。従来安全靴先芯形状は親指から中指までの保護形状は有しているが、薬指、小指の上面、側面までを芯材が保護する形状に至っていない。そこで本発明の安全靴用先芯２は、鋼板・硬質樹脂・アルミ・軽量鋼材・特殊カーボンからなる、特殊な形状を特徴とすることにより、親指から中指、弱部である薬指、小指全体を保護することを可能とした。
【手続補正５】
【補正対象書類名】明細書
【補正対象項目名】００１３
【補正方法】変更
【補正の内容】
【００１３】
図３は以上のように構成された安全靴用先芯２を安全靴爪先部に内装した上面視図である。親指より中指爪先部を保護し、薬指、小指の全体を保護している形状の特徴を示した。また、小指中足骨根本付近まで張り出した、本発明先芯形状においては、作業員が安全靴装着時、指の曲げ伸ばしに支障のない長さになっている。
【手続補正６】
【補正対象書類名】明細書
【補正対象項目名】００１５
【補正方法】変更
【補正の内容】
【００１５】
以上説明したように、本発明によれば小指側に張り出した特殊な形状をもつ先芯により、従来安全靴先芯で保護出来なかった薬指、小指の保護を可能とし、更に、コストの削減、軽量化を図ることを可能とした、安全靴先芯及びそれを用いた安全靴の提供をすることができる。
【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
鋼板・硬質樹脂・アルミ・軽量鋼材・特殊カーボン等からなる安全靴において、前端先芯部と小指側には延長された先芯を設け一体形成すると共に、小指側先芯は小指側面に至るように同一芯材にて延長形成されたことを特徴とする安全靴用先芯及び安全靴。
【請求項２】
請求項１に記載の安全靴用先芯をつま先に装着したことを特徴とする安全靴用先芯及び安全靴。
【手続補正２】
【補正対象書類名】明細書
【補正対象項目名】全文
【補正方法】変更
【補正の内容】
【発明の詳細な説明】
【技術分野】
【０００１】
本発明は建築工事、運送業、安全靴を必要とする作業現場で、作業員が足の親指から小指まで全てを安全に保護するための安全靴用先芯及びそれを用いた安全靴に関するものである。
【背景技術】
【０００２】
従来、安全靴における先芯は、着用者のつま先を重量物落下から保護する為に覆う鋼板・硬質樹脂等の先芯を埋設した安全靴が一般的に用いられている。
【０００３】
しかし、先芯形状が親指から人差し指までの落下物及び前面衝撃からの保護はすぐれているが、薬指、小指の上部、側面部の保護には弱いと言う問題点がある。
【先行技術文献】
【特許文献】
【０００４】
【特許文献１】特開２００７−０８９７２３
【発明の概要】
【発明が解決しようとする課題】
【０００５】
そこで本発明は、落下物、側面、前面衝撃から親指から小指まで全てを保護するために従来の先芯形状に加え、薬指、小指を覆う形状を特徴とする安全靴先芯、及びそれを用いた安全靴の提供を目的とするものである。
【課題を解決するための手段】
【０００６】
前記目的を達成するため、本発明に係る安全靴用先芯は従来先芯１の形状に対し、小指上面、側面を保護するために、小指側に延長形成された部分を従来先芯と一体構造とすることにより、爪先保護域を親指から小指側面部までの全てを保護する形状２を特徴とするものである。
【０００７】
また、本発明に係る安全靴先芯２の形状は親指爪先側面より、中指爪先を覆い、薬指、小指上部、側面を覆う様変速カーブを描き、安全靴底３に至るものである。
【０００８】
前記形状理由として、足指全体を覆うことなく指先、弱部を覆う形状にする事により、安全靴の軽量化、作業員の安全靴使用時の指先の圧迫感、使用感の軽減を図るためである。
【発明の効果】
【０００９】
以上説明したように、本発明の安全靴先芯は親指から小指までを保護する形状は、従来先芯形状と本発明の小指側に延長された部分とを一体構造とすることにより、延長された部分の強度の増大が可能となり、且つ、形状の特性から、屈曲性を保ち、円滑な歩行及び作業を可能とし、また、安全靴の軽量化、作業者にかかるふたんをやわらげることができる安全靴先芯及びこれを用いた安全靴を提供することができる。
【図面の簡単な説明】
【００１０】
【図１】従来安全靴先芯の形状及び足指位置関係を表す上面視図である。
【図２】従来安全靴先芯の形状及び足指位置関係を表す側面視図である。
【図３】本発明の安全靴先芯の形状及び足指位置関係を表す上面視図である。
【図４】本発明の安全靴先芯の形状及び足小指側位置関係を表す側面視図である。
【図５】本発明の安全靴先芯の上斜面視図である。
【図６】図５の安全靴先芯の底斜面視図である。
【発明を実施するための形態】
【００１１】
本発明の実施形態を添付図面に基づいて説明する。図１、図２は、従来安全靴先芯と足指の位置関係を示す図である。従来安全靴先芯形状は親指から中指までの保護形状は有しているが、薬指、小指の上面、側面までを先芯材が保護する形状に至っていない。そこで本発明の安全靴用先芯２は、鋼板・硬質樹脂・アルミ・軽量鋼材・特殊カーボンからなる、特殊な形状を特徴とすることにより、親指から中指、弱部である薬指までの爪先及び、小指全体を保護することを可能とした。
【実施例１】
【００１２】
図５及び図６は以上説明内容により制作された先芯２を示している。
従来先芯１に比べ、薬指、小指を覆うよう様に、延長形成された、先芯一体構造の形状となっている。
先芯本体２は、安全靴の甲被（不図示）内面に当接するアーチ部５と、このアーチ部５の下辺から内向きに延在し、安全靴の中底（不図示）の下側に吊り込まれる下辺折曲部４とが一体に形成されてなる。
先芯本体２の板厚は１．２ｍｍである。
【００１３】
図３は以上のように構成された安全靴用先芯２を安全靴爪先部に内装した上面視図である。親指より中指爪先部を保護し、薬指、小指の全体を保護する様形成された、先芯一体構造の形状特徴を示した。また、小指中足骨根本付近まで張り出した、本発明先芯形状においては、作業員が安全靴装着時、指の曲げ伸ばしに支障のない長さになっている。
【００１４】
図４は安全靴用先芯２を安全靴爪先部に内装した小指側上面視図である。小指中足骨根本付近までを保護している形状の特徴を示した。
【符号の説明】
【００１５】
１  従来の安全靴先芯の本体形状
２  本発明の安全靴先芯の本体形状
３  安全靴底
４  下辺折り曲げ部
５  アーチ部